(57)【要約】      （修正有）【課題】過酸化水素の分解を抑制して安定化させるためのシリコーンオイル組成物の提供。【解決手段】シリコーンオイルを含有する、過酸化水素の保存を安定させるためのオイル組成物であって、上記オイル組成物は、下記式（１）で表される直鎖状シリコーンであり、容器の内壁に塗布される。2020164398.tif 000005【選択図】図１
2020164398.tif 000002
【特許請求の範囲】
【請求項１】
シリコーンオイルを含有する、過酸化水素の保存を安定させるためのオイル組成物であって、
前記オイル組成物は、容器の内壁に塗布される、オイル組成物。
【請求項２】
前記シリコーンオイルは、下記式（１）で表される直鎖状シリコーンである、請求項１に記載のオイル組成物。
【化１】
2020164398.tif 000004
(前記式（１）中、
Ｒは、それぞれ独立してアルケニル基及び／又はＳｉＨ基等のヒドロシリル化付加反応に関与する官能性基を含有しない有機官能基、又は水酸基を表し、
それぞれのＲは同じでも異なっていてもよく、
ｘは１０〜１２００の整数を表し、
Ｒは、それぞれ独立に一価炭化水素基又は水酸基を表す）
【請求項３】
Ｒは、それぞれ独立にアルキル基又はアリール基を表す、請求項２に記載のオイル組成物。
【請求項４】
Ｒは、それぞれ独立にメチル基、エチル基又はフェニル基を表す、請求項３に記載のオイル組成物。
【請求項５】
前記直鎖状シリコーンは、両末端をトリオルガノシリル基で封鎖されたポリジオルガノシロキサンである、請求項２から４のいずれかに記載のオイル組成物。
【請求項６】
前記ポリジオルガノシロキサンは、ポリジアルキルシロキサン、ポリジアリールシロキサン、ポリアルキルアリールシロキサン又はこれらの共重合体である、請求項５に記載のオイル組成物。
【請求項７】
前記ポリジオルガノシロキサンは、ポリジメチルシロキサン又はポリメチルフェニルシロキサンである、請求項６に記載のオイル組成物。
【請求項８】
前記ポリジメチルシロキサンは、Ｒがすべてメチル基であるポリジメチルシロキサンである、請求項７に記載のオイル組成物。
【発明の詳細な説明】
【技術分野】
【０００１】
本発明は、オイル組成物、特に、シリコーンオイルを含有する、過酸化水素の保存を安定させるためのオイル組成物に関する。
【背景技術】
【０００２】
過酸化水素溶液は、工業的には漂白剤として使用され、食品分野では殺菌剤として使用されている。過酸化水素を2.5から3.5 w/v%含むオキシドールは、消毒剤として医療用に用いられている。
【０００３】
過酸化水素は、その分解熱により液温が上昇し、分解が加速される。特許文献１には、過酸化水素に適した材質が開示されている。
【先行技術文献】
【非特許文献】
【０００４】
【非特許文献１】日下部  良「過酸化水素の製造と性質，取り扱い」  紙パ技協誌  第５２巻第５号  １９９８年５月
【発明の概要】
【発明が解決しようとする課題】
【０００５】
特許文献１の開示の通り、過酸化水素溶液の保存には、利用できる保存容器の材質が限定されており、自由に保存容器の材質を選択することができなかった。
【０００６】
本発明者は、鋭意研究の結果、シリコーンオイルを含有するオイル組成物に過酸化水素の保存を安定させる効果があることを発見し、本発明は完成した。
【課題を解決するための手段】
【０００７】
本発明の目的は、
シリコーンオイルを含有する、過酸化水素の保存を安定させるためのオイル組成物であって、
上記オイル組成物は、容器の内壁に塗布される、オイル組成物
を提供することである。
【０００８】
このオイル組成物を用いることで、過酸化水素溶液を保存する容器の材質を問わず、過酸化水素の保存を安定させることが可能になり、過酸化水素溶液の長期間の保存が可能になる。
【図面の簡単な説明】
【０００９】
【図１】図１は、実施例における各容器での過酸化水素残存率のグラフを示している。
【発明を実施するための形態】
【００１０】
定義
便宜上、本願で使用される特定の用語は、ここに集めている。別途規定されない限り、本願で使用される全ての技術用語及び科学用語は、本発明が属する技術分野の当業者が一般的に理解するのと同じ意味を有する。文脈で別途明記されない限り、単数形「a」、「an」及び「the」は複数の言及を含む。
【００１１】
本発明で示す数値範囲及びパラメーターは、近似値であるが、特定の実施例に示されている数値は可能な限り正確に記載している。しかしながら、いずれの数値も本質的に、それぞれの試験測定値に見られる標準偏差から必然的に生じる特定の誤差を含んでいる。また、本明細書で使用する「約」という用語は、一般に、所与の値又は範囲の10％、5％、1％又は0.5％以内を意味する。或いは、用語「約」は、当業者が考慮する場合、許容可能な標準誤差内にあることを意味する。
【００１２】
オイル組成物
本実施形態にかかるオイル組成物は、
シリコーンオイルを含有する、過酸化水素の保存を安定させるためのオイル組成物であって、
上記オイル組成物は、容器の内壁に塗布される、オイル組成物
である。上記オイル組成物には、シリコーンオイル以外に医薬的に許容可能な成分（滅菌水等）が含まれていても良い。
【００１３】
シリコーンオイルとしては、２５℃での動粘度が１，０００〜４０，０００ｃＳｔであるシリコーンオイルを用いることができ、好ましくは２，０００〜３０，０００ｃＳｔ、より好ましくは、３，０００〜２０，０００ｃＳｔである。
【００１４】
シリコーンオイルの２５℃での動粘度はＪＩＳ  Ｚ８８０３により測定することができる。
【００１５】
シリコーンオイルは、好ましくは下記式（１）で表される直鎖状シリコーンを用いることができる。
【００１６】
【化２】
2020164398.tif 000003
【００１７】
上記式（１）中、Ｒはそれぞれ独立してアルケニル基及び／又はＳｉＨ基等のヒドロシリル化付加反応に関与する官能性基を含有しない有機官能基、又は水酸基を表し、それぞれのＲは同じでも異なっていてもよい。ｘは１０〜１２００の整数を表す。Ｒは、好ましくはそれぞれ独立に一価炭化水素基又は水酸基を表し、より好ましくはアルキル基やアリール基を表し、更に好ましくはメチル基、エチル基、フェニル基を表す。
【００１８】
上記式（１）で表される直鎖状シリコーンとしては、両末端をトリオルガノシリル基で封鎖されたポリジオルガノシロキサンであり、ポリジアルキルシロキサン、ポリジアリールシロキサン、ポリアルキルアリールシロキサン又はこれらの共重合体がより好ましく、ポリジメチルシロキサン又はポリメチルフェニルシロキサンが更に好ましく、Ｒがすべてメチル基であるポリジメチルシロキサンが特に好ましい。
【００１９】
本実施形態において、保存容器には、特に限定するものではないが、例えば、金属製容器、プラスチック製容器、ガラス製容器、陶磁器製容器、ゴム製容器及びこれらの組み合わせが挙げられ、過酸化水素に適さない材質でできている容器も含まれる。また、保存容器の形状や使用目的に特に限定されるものでもない。本実施形態において、過酸化水素溶液は、過酸化水素を溶媒（例えば、水）に溶かした溶液を意味し、必要に応じて、添加物（例えば、リン酸及びフェナセチン）を含有していてもよい。
【００２０】
過酸化水素の分解能は、保存開始前の過酸化水素溶液中の過酸化水素の濃度に対する特定の温度条件下での特定の保存期間後の過酸化水素溶液中の過酸化水素の濃度の割合（過酸化水素残存率）から決定することができる。保存は、密閉状態で行われる。温度条件は、限定するものではないが、35℃、37℃、40℃、又は60℃であってもよい。保存期間は、限定するものではないが、1週間、2週間、3週間又は4週間であってもよく、4週間以上であってもよい。保存開始前の過酸化水素溶液中の過酸化水素の濃度は、例えば、0.01から40%(w/v)の範囲の任意の濃度で試験してもよい。本実施形態にかかるオイル組成物が内壁に塗布された保存容器における過酸化水素残存率は、過酸化水素2.5〜3.5w/v%を含有する溶液を60℃4週間密閉保管する条件下で、70％以上、好ましくは75％以上、より好ましくは78％以上、更に好ましくは80%以上であればよい。過酸化水素溶液中の過酸化水素量は、日本薬局方のオキシドール定量法に従い、過マンガン酸カリウム液で滴定することによって求めることができる。
【００２１】
本実施形態において、保存容器における過酸化水素溶液中の過酸化水素の濃度は、例えば、0.01、0.02、0.03、0.04、0.05、0.06、0.07、0.08、0.09、0.1、0.5、1、5、10、15、20、25、30、35又は40%であり、ここで例示した数値の何れか２つの間の範囲内であってもよく、例えば、0.01から40%(w/v)、好ましくは、0.05から30%(w/v)である。
【００２２】
塗布
本実施形態にかかるオイル組成物は、スプレー等を用いて保存容器に塗布することができる。塗布の際には、オイル組成物を適切な溶媒に溶解させてもよい。保存容器の内壁に上記オイル組成物を塗布する場合は、オイル組成物を０．０２〜０．２ｍｇ／ｃｍ2の塗布量で噴霧により保存容器の内壁に塗布することができる。保存容器の内壁への塗布後は、スキージ等の器具を用いてオイル組成物の厚さを均一化してもよく、加熱処理（例えば、オートクレーブ処理）によりオイル組成物中のシリコーンオイルを軟化させて、オイル組成物の厚さを均一化させてもよい。
【実施例】
【００２３】
過酸化水素溶液の安定性試験
シリコーンオイルを塗布したガラス製容器及びシリコーンオイルを塗布していないガラス製容器を用いて、過酸化水素溶液の安定性試験を行った。シリコーンオイルは、Dow corningから購入した（製品名: Dow Corning 360 Medical Fluid (12,500 cSt)）。各容器に過酸化水素溶液を加えて密閉し、60℃4週間にて保管した。保管後の過酸化水素溶液中の過酸化水素の残存率を測定した。過酸化水素溶液は、健栄製薬社製オキシドール「ケンエー」（過酸化水素2.5〜3.5w/v%を含有。リン酸、フェナセチン含有）を用いた。過酸化水素溶液中の過酸化水素量は、日本薬局方のオキシドール定量法に従い、過マンガン酸カリウム液で滴定にて検出した。結果を図１に示す。
【００２４】
シリコーンオイルを塗布していないガラス製容器の場合は、過酸化水素残存率が約70%であった。シリコーンオイルを塗布したガラス製容器は78%以上であった。以上の結果、シリコーンオイルを塗布したガラス製容器は、シリコーンオイルを塗布していないガラス製容器よりも過酸化水素の分解を抑制することができた。
【図１】
2020164398.tif 000006
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
シリコーンオイルを含有する、過酸化水素の保存を安定させるためのオイル組成物であって、
前記オイル組成物は、容器の内壁に塗布される、オイル組成物。
【請求項２】
前記シリコーンオイルは、下記式（１）で表される直鎖状シリコーンである、請求項１に記載のオイル組成物。
【化１】
2020164398.tif 000007
(前記式（１）中、
Ｒは、それぞれ独立して、ヒドロシリル化付加反応に関与する官能性基を含有しない有機官能基、一価炭化水素基又は水酸基を表し、
それぞれのＲは同じでも異なっていてもよく、
ｘは１０〜１２００の整数を表す）
【請求項３】
Ｒは、それぞれ独立にアルキル基又はアリール基を表す、請求項２に記載のオイル組成物。
【請求項４】
Ｒは、それぞれ独立にメチル基、エチル基又はフェニル基を表す、請求項３に記載のオイル組成物。
【請求項５】
前記直鎖状シリコーンは、両末端をトリオルガノシリル基で封鎖されたポリジオルガノシロキサンである、請求項２から４のいずれかに記載のオイル組成物。
【請求項６】
前記ポリジオルガノシロキサンは、ポリジアルキルシロキサン、ポリジアリールシロキサン、ポリアルキルアリールシロキサン又はこれらの共重合体である、請求項５に記載のオイル組成物。
【請求項７】
前記ポリジオルガノシロキサンは、ポリジメチルシロキサン又はポリメチルフェニルシロキサンである、請求項６に記載のオイル組成物。
【請求項８】
前記ポリジメチルシロキサンは、Ｒがすべてメチル基であるポリジメチルシロキサンである、請求項７に記載のオイル組成物。
【手続補正２】
【補正対象書類名】明細書
【補正対象項目名】００１６
【補正方法】変更
【補正の内容】
【００１６】
【化２】
2020164398.tif 000008
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
シリコーンオイルを含有する、過酸化水素の保存を安定させるためのオイル組成物であって、
前記シリコーンオイルは、下記式（１）で表される直鎖状シリコーンであり、
【化１】
2020164398.tif 000009
(前記式（１）中、
Ｒは、それぞれ独立して、ヒドロシリル化付加反応に関与する官能性基を含有しない有機官能基、一価炭化水素基又は水酸基を表し、
それぞれのＲは同じでも異なっていてもよく、
ｘは１０〜１２００の整数を表す）
前記オイル組成物は、容器の内壁に塗布される、オイル組成物。
【請求項２】
Ｒは、それぞれ独立にアルキル基又はアリール基を表す、請求項１に記載のオイル組成物。
【請求項３】
Ｒは、それぞれ独立にメチル基、エチル基又はフェニル基を表す、請求項２に記載のオイル組成物。
【請求項４】
前記直鎖状シリコーンは、両末端をトリオルガノシリル基で封鎖されたポリジオルガノシロキサンである、請求項１から３のいずれかに記載のオイル組成物。
【請求項５】
前記ポリジオルガノシロキサンは、ポリジアルキルシロキサン、ポリジアリールシロキサン、ポリアルキルアリールシロキサン又はこれらの共重合体である、請求項４に記載のオイル組成物。
【請求項６】
前記ポリジオルガノシロキサンは、ポリジメチルシロキサン又はポリメチルフェニルシロキサンである、請求項５に記載のオイル組成物。
【請求項７】
前記ポリジメチルシロキサンは、Ｒがすべてメチル基であるポリジメチルシロキサンである、請求項６に記載のオイル組成物。